(57)【特許請求の範囲】
【請求項１】
高圧エアを吐出するエアコンプレッサに主送圧管が接続され、この主送圧管に複数の分岐管が接続され、各分岐管に展示場で行われる実演イベント会場の各ブースに設置された実演用機器が接続され、前記エアコンプレッサから前記分岐管を介して前記各実演用機器に前記高圧エアを供給することにより、これら実演用機器に特有の実演動作を行わせる展示場の高圧エア供給システムにおいて、
前記分岐管のそれぞれ全てに、ある実演用機器に対する供給圧が、１０ｋｇ／ｃｍ２であると、分岐管に設けるバルブの口径を１インチに、供給圧が８ｋｇ／ｃｍ２であると、バルブの口径を３／４インチにする、といったように当該実演用機器が実演動作するために必要な高圧エア圧の違いに応じて高圧エアの供給量を決定するために口径を段階的に異ならせたバルブを介設してなることを特徴とする展示場で行われる実演イベント会場に用いられる高圧エア供給システム。
【発明の詳細な説明】
【０００１】
【発明の属する技術分野】
本発明は、展示場で行われる実演イベント会場の各ブースに展示された各種実演用機器に動作用の高圧エアを供給する高圧エア供給システムに係り、特に、簡単な構成で合理的に高圧エアを供給可能とし得る展示場の高圧エア供給システムに関するものである。
【０００２】
【従来の技術】
新開発した産業用の機械装置等を関係者に披露する場合、通常、展示場で実際に動作を実演して見せるイベントが広く行われている。
この実演イベントでは、展示場を複数に区画したブースに展示者が各種の機械装置等をそれぞれ展示しており、これら実演用機器に流体を吐出する流体供給装置から動作用の流体を供給するようになっている。
この流体が高圧エアであると、エアコンプレッサが用いられ、展示期間内にのみ限定使用するので、レンタルされるのが一般である。そして、稼働時の騒音に配慮し展示場の外方に設置され、主送圧管やこれに分岐接続された各分岐管を介して実演用機器と接続されている。
このように、展示場の設備が整うと、エアコンプレッサを運転して高圧エアを実演用機器側に供給する。これにより、実演用機器それぞれに特有の実演動作を行わせることがが可能になる。
【０００３】
【発明が解決しようとする課題】
ところで、このような展示場で行われる実演イベント会場の高圧エア供給システムは、エアコンプレッサの吐出側に主送圧管、各分岐管を介して実演用機器が接続されているだけなので、展示期間中の高圧エアの使用量を実演用機器毎に按分する際、適正に決定するのが難しいものであった。このため、実演用機器の定格容量を参考にして按分せざるを得ず、実際の使用状態を反映するものではないため、不合理であり不公平が生じていた。また、各実演用機器を動作させるために要する高圧エアの最大限の供給量を知ることもできないから、各定格容量の総和を算出することにより、高圧エア供給能力を決定していた。このため、実際の使用量との間にギャップが生じ、設置したエアコンプレッサの供給能力が小さすぎて実演用機器が稼働しなくなったり、逆に過大すぎてランニングコストが高騰したり、高いレンタル料金を支払ってしまうといった問題が生じていた。本発明は、上記課題に鑑みてなされたもので、簡単な構成で合理的に高圧エアを供給可能となり、臨時に設置される展示場の高圧エア使用量を適正に按分することができる展示場の高圧エア供給システムを提供することを目的としている。
【０００４】
【課題を解決するための手段】
上記目的を達成するため、本発明のうち請求項１に記載の発明は、高圧エアを吐出するエアコンプレッサに主送圧管が接続され、この主送圧管に複数の分岐管が接続され、各分岐管に展示場で行われる実演イベント会場の各ブースに設置された実演用機器が接続され、前記エアコンプレッサから前記管路を介して前記各実演用機器に前記高圧エアを供給することにより、これら実演用機器に特有の実演動作を行わせる展示場の高圧エア供給システムにおいて、前記分岐管のそれぞれ全てに、ある実演用機器に対する供給圧が、１０ｋｇ／ｃｍ２であると、分岐管に設けるバルブの口径を１インチに、供給圧が８ｋｇ／ｃｍ２であると、バルブの口径を３／４インチにする、といったように当該実演用機器が実演動作するために必要な高圧エア圧の違いに応じて高圧エアの供給量を決定するために口径を段階的に異ならせたバルブを介設してなることを特徴とする展示場で行われる実演イベント会場に用いられる高圧エア供給システムである。
【０００５】
【発明の実施の形態】
以下、本発明の実施の形態について、図示例を参照しながら説明する。図１は、本発明の実施の形態に係る展示場で行われる実演イベント会場の高圧エア供給システムを示す概要説明図である。この展示場で行われる実演イベント会場の高圧エア供給システムは、展示場１の近傍に流体供給装置（エアコンプレッサ）６を備え付け、吐出した流体（高圧エア）を配管８，９やバルブ１０を介して各ブース２に設置の実演用機器４に供給し、各個に実演動作させる構成になっている。この展示場１は、新開発した工業製品や産業用の機械装置等を関係者に披露するイベント会場であって、１１に区画されたブース２に各種の機械装置を実演用機器４としてそれぞれ展示している。３は工業製品の展示専用ブースである。
【０００６】
エアコンプレッサ６は、モーターの回転により圧縮した高圧エアを吐出する普及型で、安全弁、圧力調整部および制御部等を備えており、各実演用機器４の要求に応じた高圧エアを供給可能な性能を有するタイプが選択される。
このエアコンプレッサ６は、展示場１内に騒音が入らないよう展示場１と離間させた機械室５や仮設小屋等に設置している。そして、このエアコンプレッサ６の吐出側に、メインバルブ７を介して主送圧管８の一端が接続されている。
この主送圧管８は、高圧エアを圧送するもので、展示場１側に向けて延出し外側壁２ａに沿うよう二股に分けた後、それぞれの他端を展示場１の外周に延設している。
これら主送圧管８，８には、前記各ブース２の近傍で分岐管９の一端がそれぞれ接続されている。これら分岐管９は、主送圧管８よりも細径で、中途にバルブ１０を介設してあり、各他端に前記実演用機器４が接続されている。
【０００７】
バルブ１０は、高圧エアの供給量を決定するためのもので、それぞれの実演用機器４が実演動作するために必要な供給圧の違いに応じて口径を段階的に異ならせている。
すなわち、展示場１に配置される各実演用機器４は、実演時の動作が多種多様で、高圧エアの供給圧には差異が生じる。従って、分岐管９を流通する高圧エアの単位面積当たりの圧力もそれぞれ異なる。
そこで、各バルブ１０は、実演用機器４の定格供給圧でなく、実際に稼働するために最大限必要な供給圧に基づき、市販されているバルブ１０から最適の口径のものを選択するようにしている。
例えば、ある実演用機器４に対する供給圧が、１０ｋｇ／ｃｍ2 であると、分岐管９に設けるバルブ１０の口径を１インチに、供給圧が８ｋｇ／ｃｍ2 であると、バルブ１０の口径を３／４インチにする、といったようにそれぞれ異なったものを取り付ける。
【０００８】
このように、各バルブ１０の選択基準は、実演用機器４への高圧エアの供給圧に基づいている。よって、エアコンプレッサ６は、各実演用機器４を実際に稼働させるのに必要な高圧エアの供給圧と、実演用機器４の設置台数とからエア供給能力を導きだし、最適性能の機種を選定できる。
そして、エアコンプレッサ６の運転を開始させ、実演用機器４をオンにすると、これらの機器に特有の実演動作を披露させることが可能となる。
この際、各実演用機器４は、動作開始時間、動作終了時間、動作継続時間がそれぞれ異なるが、稼働状況に応じた必要量の高圧エアがエアコンプレッサ６から吐出され、バルブ１０を介して実演用機器４に供給される。
このため、高圧エアの供給能力が小さすぎて実演用機器４が稼働しなくなったり、逆に過大になるといったことも生じない。
【０００９】
そして、展示期間中における高圧エアの使用量を実演用機器４毎に按分する場合、各展示者が申請するバルブの口径の差異に応じて決定することができるから、利用料金の算出が適正なものとなる。
また、必要以上の性能を有するエアコンプレッサ６を設置することもないから、このエアコンプレッサ６をレンタルするときはその料金やランニングコストを廉価にできる。
なお、上記実施の形態においては、流体供給装置にエアコンプレッサ６を使用する例について説明したが、その他のガスやオイル等の液体を吐出して供給する装置にも適用し得ることは勿論である。
【００１０】
【発明の効果】
以上説明したように、本発明のうち請求項１に記載の発明は、展示場で行われる実演イベント会場の各ブースに設置された実演用機器に特有の実演動作をするために必要な高圧エア圧の違いに応じて高圧エアの供給量を決定するために口径を段階的に異ならせたバルブをそれぞれの分岐管に設けたので、展示期間中の高圧エア使用量を実演用機器毎に按分する際、高価な計測メーターを取り付ける必要なくバルブの口径差に応じて適正値を決定することができる。よって、多数の展示者の間で不公平が生じることなく、合理的な運営が実現される。また、各実演用機器を動作させるために要する高圧エアの最大限の供給圧をバルブの口径で容易に知ることができるから、各供給圧の総和を算出することにより、臨時に設置される展示場で行われる実演イベント会場にとって最適な高圧エア供給能力のエアコンプレッサを設置可能となる。よって、高圧エア供給能力が小さすぎて実演用機器が稼働しなくなったり、逆に過大すぎてランニングコストが高騰したり、高いレンタル料金を支払うことになるといった問題が解消される利点がある。
【図面の簡単な説明】
【図１】本発明の実施の形態に係る展示場の流体供給システムを示す概要説明図である。
【符号の説明】
１    展示場
２    ブース
４    実演用機器
８    主送圧管
９    分岐管
１０  バルブ
【図１】
0004885348.tif 000002